【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
化学式（Ｉ）で示される第１のシロキサンマクロマーを含むコンタクトレンズの材料。
【化１】
2014149525.tif 000001
（化学式（Ｉ）中、Ｒ１、Ｒ２、Ｒ３はそれぞれ独立にＣ１−Ｃ１２アルキル基、ヒドロキシル基で置換されたＣ１−Ｃ１２アルキル基またはＣ１−Ｃ１２シロキサン基、Ｒ４はＣ１−Ｃ６アルキレン基またはエーテル基で置換されたＣ１−Ｃ６アルキレン基、Ｒ５は−Ｈ、−ＣＨ３、−ＣＨ（ＣＨ３）２、−ＣＨ（ＣＨ３）ＣＨ２（ＣＨ３）、−ＣＨ２ＣＨ（ＣＨ３）２、−ＣＨ２Ｃ６Ｈ５、−ＣＨ２ＯＨ、−ＣＨ（ＯＨ）ＣＨ３、−ＣＨ２ＣＯＮＨ２または−ＣＨ２ＣＨ２ＣＯＮＨ２、Ｒ６は−ＮＨＣＯＮＨ−または−Ｒ８ＮＨＣＯＮＨ−、Ｒ７は水素またはメチル基であり、Ｒ８は−Ｏ−、−Ｏ（ＣＨ２）ｎ−または−（ＣＨ２）ｎ−であり、ｍは１０〜１００の整数、ｎは１〜１０の整数である。）
【請求項２】
前記化学式（Ｉ）中、Ｒ１、Ｒ２、Ｒ３はメチル基、Ｒ４はＣ３アルキレン基、Ｒ５は−Ｈ、Ｒ６は−ＯＣ２Ｈ４ＮＨＣＯＮＨ−、Ｒ７はメチル基である請求項１に記載のコンタクトレンズの材料。
【請求項３】
前記化学式（Ｉ）中、Ｒ１、Ｒ２、Ｒ３はメチル基、Ｒ４はＣ３アルキレン基、Ｒ５は−ＣＨ３、Ｒ６は−ＯＣ２Ｈ４ＮＨＣＯＮＨ−、Ｒ７はメチル基である請求項１に記載のコンタクトレンズの材料。
【請求項４】
前記化学式（Ｉ）中、Ｒ１、Ｒ２、Ｒ３はメチル基、Ｒ４はＣ３アルキレン基、Ｒ５は−ＣＨ２ＯＨ、Ｒ６は−ＯＣ２Ｈ４ＮＨＣＯＮＨ−、Ｒ７はメチル基である請求項１に記載のコンタクトレンズの材料。
【請求項５】
下記化学式（ＩＩ）で示される第２のシロキサンマクロマーと、
【化２】
2014149525.tif 000002
（化学式（ＩＩ）中、ｑは４〜８０の整数、ｒは３〜４０の整数である。）
少なくとも１種の親水性モノマーと、
開始剤と、
をさらに含む請求項１に記載のコンタクトレンズの材料。
【請求項６】
前記第１のシロキサンマクロマーが約３〜５０重量部、前記第２のシロキサンマクロマーが約３０〜７０重量部、前記親水性モノマーが約２０〜７０重量部、前記開始剤が約０．１〜１重量部である請求項５に記載のコンタクトレンズの材料。
【請求項７】
前記親水性モノマーが、Ｎ−ビニルピロリドン（ＮＶＰ）、２−ヒドロキシエチルメタクリレート（ＨＥＭＡ）、Ｎ，Ｎ’−ジメチルアクリルアミド（ＤＭＡ）、メタクリル酸（ＭＡＡ）、Ｎ，Ｎ’−ジエチルアクリルアミド、Ｎ−イソプロピルアクリルアミド、２−ヒドロキシエチルアクリレート、酢酸ビニル、Ｎ−アクリロイルモルホリン、２−ジメチルアミノエチルアクリレートまたはこれらの組み合わせを含む請求項５に記載のコンタクトレンズの材料。
【請求項８】
前記開始剤が熱開始剤または光開始剤である請求項５に記載のコンタクトレンズの材料。
【請求項９】
架橋剤、色素、抗ＵＶ剤またはこれらの組み合わせをさらに含む請求項１に記載のコンタクトレンズの材料。
【請求項１０】
前記架橋剤が、エチレングリコールジメタクリレート（ＥＧＤＭＡ）、トリメチロールプロパントリアクリレート（ＴＭＰＴＡ）、テトラエチレングリコールジメタクリレート（ＴＥＧＤＭＡ）、トリエチレングリコールジメタクリレート（ＴｒＥＧＤＭＡ）、ポリエチレングリコールジメタクリレート、トリメチロールプロパントリメタクリレート、ビニルメタクリレート、エチレンジアミンジメチルアクリルアミド、グリセロールジメタクリレート、イソシアヌル酸トリアリルまたはシアヌル酸トリアリル（ｔｒｉａｌｌｙｌ  ｃｙａｎｕｒａｔｅ）を含む請求項９に記載のコンタクトレンズの材料。
【請求項１１】
コンタクトレンズの製造方法であって、
（ａ）下記化学式（Ｉ）で示される第１のシロキサンマクロマー、下記化学式（ＩＩ）で示される第２のシロキサンマクロマー、少なくとも１種の親水性モノマー、開始剤および溶剤を含む混合物を作る工程、ならびに
（ｂ）前記混合物をコンタクトレンズの鋳型に入れ、加熱プロセスまたはＵＶ光照射プロセスにより前記混合物を反応させてコンタクトレンズを形成する工程、
を含む製造方法。
【化３】
2014149525.tif 000003
【化４】
2014149525.tif 000004
（化学式（Ｉ）中、Ｒ１、Ｒ２、Ｒ３はそれぞれ独立にＣ１−Ｃ１２アルキル基、ヒドロキシル基で置換されたＣ１−Ｃ１２アルキル基またはＣ１−Ｃ１２シロキサン基、Ｒ４はＣ１−Ｃ６アルキレン基またはエーテル基で置換されたＣ１−Ｃ６アルキレン基、Ｒ５は−Ｈ、−ＣＨ３、−ＣＨ（ＣＨ３）２、−ＣＨ（ＣＨ３）ＣＨ２（ＣＨ３）、−ＣＨ２ＣＨ（ＣＨ３）２、−ＣＨ２Ｃ６Ｈ５、−ＣＨ２ＯＨ、−ＣＨ（ＯＨ）ＣＨ３、−ＣＨ２ＣＯＮＨ２または−ＣＨ２ＣＨ２ＣＯＮＨ２、Ｒ６は−ＮＨＣＯＮＨ−または−Ｒ８ＮＨＣＯＮＨ−、Ｒ７は水素またはメチル基であり、Ｒ８は−Ｏ−、−Ｏ（ＣＨ２）ｎ−または−（ＣＨ２）ｎ−であり、ｍは１０〜１００の整数、ｎは１〜１０の整数である。化学式（ＩＩ）中、ｑは４〜８０の整数、ｒは３〜４０の整数である。）
【請求項１２】
前記化学式（Ｉ）中、Ｒ１、Ｒ２、Ｒ３はメチル基、Ｒ４はＣ３アルキレン基、Ｒ５は−Ｈ、Ｒ６は−ＯＣ２Ｈ４ＮＨＣＯＮＨ−、Ｒ７はメチル基である請求項１１に記載のコンタクトレンズの製造方法。
【請求項１３】
前記化学式（Ｉ）中、Ｒ１、Ｒ２、Ｒ３はメチル基、Ｒ４はＣ３アルキレン基、Ｒ５は−ＣＨ３、Ｒ６は−ＯＣ２Ｈ４ＮＨＣＯＮＨ−、Ｒ７はメチル基である請求項１１に記載のコンタクトレンズの製造方法。
【請求項１４】
前記化学式（Ｉ）中、Ｒ１、Ｒ２、Ｒ３はメチル基、Ｒ４はＣ３アルキレン基、Ｒ５は−ＣＨ２ＯＨ、Ｒ６は−ＯＣ２Ｈ４ＮＨＣＯＮＨ−、Ｒ７はメチル基である請求項１１に記載のコンタクトレンズの製造方法。
【請求項１５】
前記親水性モノマーが、Ｎ−ビニルピロリドン（ＮＶＰ）、２−ヒドロキシエチルメタクリレート（ＨＥＭＡ）、Ｎ，Ｎ’−ジメチルアクリルアミド（ＤＭＡ）、メタクリル酸（ＭＡＡ）、Ｎ，Ｎ’−ジエチルアクリルアミド、Ｎ−イソプロピルアクリルアミド、２−ヒドロキシエチルアクリレート、酢酸ビニル、Ｎ−アクリロイルモルホリン、２−ジメチルアミノエチルアクリレートまたはこれらの組み合わせを含む請求項１１に記載のコンタクトレンズの製造方法。
【請求項１６】
前記第１のシロキサンマクロマーが約３〜５０重量部、前記第２のシロキサンマクロマーが約３０〜７０重量部、前記親水性モノマーが約２０〜７０重量部、前記開始剤が約０．１〜１重量部である請求項１１に記載のコンタクトレンズの製造方法。
【請求項１７】
前記開始剤が熱開始剤または光開始剤である請求項１１に記載のコンタクトレンズの製造方法。
【請求項１８】
前記混合物が架橋剤、色素、抗ＵＶ剤またはこれらの組み合わせをさらに含む請求項１１に記載のコンタクトレンズの製造方法。
【請求項１９】
前記架橋剤が、エチレングリコールジメタクリレート（ＥＧＤＭＡ）、トリメチロールプロパントリアクリレート（ＴＭＰＴＡ）、テトラエチレングリコールジメタクリレート（ＴＥＧＤＭＡ）、トリエチレングリコールジメタクリレート（ＴｒＥＧＤＭＡ）、ポリエチレングリコールジメタクリレート、トリメチロールプロパントリメタクリレート、ビニルメタクリレート、エチレンジアミンジメチルアクリルアミド、グリセロールジメタクリレート、イソシアヌル酸トリアリルまたはシアヌル酸トリアリル（ｔｒｉａｌｌｙｌ  ｃｙａｎｕｒａｔｅ）を含む請求項１８に記載のコンタクトレンズの製造方法。
【請求項２０】
請求項１１に記載のコンタクトレンズの製造方法により得られるコンタクトレンズ。